(57)【特許請求の範囲】
【請求項１】
ビニールハウスの骨組に固定され、シートを保持するシート保持部材において、
前記ビニールハウスの長手方向に沿って延びる底板と、前記底板の両方の長手側端から接近しながら斜めに起立する一対の側板とを有し、前記底板と一対の前記側板との間に蟻溝が形成される一以上の蟻溝フレームと、
何れかの前記蟻溝フレームの前記蟻溝に嵌り、前記蟻溝内に前記シートを定着させる係止線条とを備え、
何れかの前記蟻溝フレームの前記底板の前記骨組側には、前記底板の長手方向に沿って窪みが形成されており、
前記窪みの一方の縁は、前記窪みの開口を狭める方向に突出して前記窪みの底とともにポケットを形成しており、
前記ポケットの開口を上側に向けて配置されることを特徴とするシート保持部材。
【請求項２】
前記窪みが形成される前記蟻溝フレームの前記側板は、共に、前記底板から外側に膨らむ湾曲部を含み、
前記窪みが形成される前記蟻溝フレームの前記骨組側端に、前記窪みの両側で接する基準面は、一対の前記側板の両方の前記湾曲部の頂部を通る平面に対して平行方向に延びることを特徴とする請求項１に記載のシート保持部材。
【請求項３】
前記窪みが形成される前記蟻溝フレームの前記底板は、
一方の前記側板に連なる平坦部と、
他方の前記側板に連なり、前記平坦部側端が蟻溝内に向かうように傾斜する傾斜部と、
前記平坦部の途中と前記傾斜部の前記平坦部側端とをつなぐポケット底部とを含み、
前記傾斜部の前記骨組側に前記窪みが形成されることを特徴とする請求項１または請求項２に記載のシート保持部材。
【請求項４】
前記傾斜部の反骨組側端は、前記湾曲部の頂部と同じか、前記頂部よりも前記骨組側に位置することを特徴とする請求項３に記載のシート保持部材。
【請求項５】
前記窪みが形成される前記蟻溝フレームの上側に設けられ、前記蟻溝フレームに沿って延びる樋フレームを備え、
前記樋フレームは、前記ビニールハウスの長手方向に延びる樋底板と、前記樋底板の下端から斜め或いは垂直方向に起立する樋側板とを有することを特徴とする請求項１から請求項４の何れか一項に記載のシート保持部材。
【請求項６】
第一蟻溝フレームと第二蟻溝フレームの二本の前記蟻溝フレームを備え、
前記第一蟻溝フレームに、前記窪みが形成されており、
前記第二蟻溝フレームの前記底板に、上側に位置する前記第一蟻溝フレームの前記側板と、前記樋側板が連なることを特徴とする請求項５に記載のシート保持部材。
【請求項７】
前記第二蟻溝フレームの前記底板の両方の長手側端部には、それぞれ、前記骨組側に膨らむ皿部が設けられることを特徴とする請求項６に記載のシート保持部材。
【請求項８】
前記第二蟻溝フレームの前記側板は、共に、前記皿部から外側に突出するように屈曲する曲げ部を含み、
前記曲げ部の間に前記係止線条が支えられることを特徴とする請求項７に記載のシート保持部材。
【請求項９】
前記樋底板の前記骨組側には、前記樋底板の長手方向に沿って樋用窪みが形成されており、
前記樋用窪みの一方の縁は、前記樋用窪みの開口を狭める方向に突出して前記樋用窪みの底とともに樋ポケットを形成しており、
前記樋ポケットの開口を上側に向けて配置されることを特徴とする請求項５から請求項８の何れか一項に記載のシート保持部材。
【請求項１０】
前記基準面は、前記樋用窪みの両側で、前記樋底板の前記骨組側端に接することを特徴とする請求項９に記載のシート保持部材。
【請求項１１】
前記樋底板は、
前記樋側板側端に向けて前記骨組から離れるように傾斜する樋傾斜部と、
前記樋傾斜部の前記樋側板側端から前記骨組側に延びる樋ポケット底部と、
前記樋ポケット底部の前記骨組側端から反樋側板側に延びる樋ポケット壁とを含み、
前記樋傾斜部の前記骨組側に前記樋用窪みが形成されることを特徴とする請求項９または請求項１０に記載のシート保持部材。
【請求項１２】
前記ポケットは、前記窪みが形成される前記蟻溝フレームの前記底板の短手方向の中心よりも下側に設けられることを特徴とする請求項１から請求項１１の何れか一項に記載のシート保持部材。
【請求項１３】
ビニールハウスの骨組に固定され、シートを保持するシート保持部材において、
前記ビニールハウスの長手方向に沿って延びる底板と、前記底板の両方の長手側端から接近しながら斜めに起立する一対の側板とを有し、前記底板と一対の前記側板との間に蟻溝が形成される一以上の蟻溝フレームと、
何れかの前記蟻溝フレームの上側に設けられ、前記蟻溝フレームに沿って延びる樋フレームと、
何れかの前記蟻溝フレームの前記蟻溝に嵌り、前記蟻溝内に前記シートを定着させる係止線条とを備え、
前記樋フレームは、前記ビニールハウスの長手方向に延びる樋底板と、前記樋底板の一端から斜め或いは垂直方向に起立する樋側板とを有し、
前記樋底板の前記骨組側には、前記樋底板の長手方向に沿って樋用窪みが形成されており、
前記樋用窪みの一方の縁は、前記樋用窪みの開口を狭める方向に突出して前記樋用窪みの底とともに樋ポケットを形成しており、
前記樋ポケットの開口を上側に向けて配置されることを特徴とするシート保持部材。
【発明の詳細な説明】
【技術分野】
【０００１】
本発明は、シート保持部材の改良に関する。
【背景技術】
【０００２】
従来、シート保持部材は、ビニールハウスの骨組に固定され、当該骨組にシートを展張するのに利用されている。例えば、特許文献１に開示のシート保持部材は、ビニールハウスの肩部に長手方向に沿って取り付けられるフレームと、このフレームにシートを定着させる係止線条とを備える。フレームは、複数横並びに設けられてジョイントで連結されており、シート定着用の蟻溝を有する第一、第二の蟻溝フレームと、シートの内側面に結露により生じた水滴を回収する樋フレームとを備える。そして、樋フレームに回収された水滴は、当該樋フレームを通ってジョイントに達すると、ジョイントに接続されるホースを通じてビニールハウスの外側に排出される。
【先行技術文献】
【特許文献】
【０００３】
【特許文献１】特開２００３−１３４９４４号公報
【発明の概要】
【発明が解決しようとする課題】
【０００４】
しかしながら、従来の前記シート保持部材によれば、シートの内側面を伝い落ちる水滴については回収できるものの、例えば、蟻溝フレームの底面等、シート保持部材自体に結露が生じると、当該結露による水滴については回収できない場合がある。したがって、シート保持部材自体に結露によって生じた水滴が、シート保持部材の下部からビニールハウス内に落下して、ビニールハウス内で育成している植物等に悪影響を及ぼす虞がある。
【０００５】
そこで、本発明は、前記不具合を解消し、シート保持部材自体に付着した水滴についても回収できるシート保持部材の提供を課題とする。
【課題を解決するための手段】
【０００６】
前記課題を解決する第一の手段は、ビニールハウスの骨組に固定され、シートを保持するシート保持部材において、前記ビニールハウスの長手方向に沿って延びる底板と、前記底板の両方の長手側端から接近しながら斜めに起立する一対の側板とを有し、前記底板と一対の前記側板との間に蟻溝が形成される一以上の蟻溝フレームと、何れかの前記蟻溝フレームの前記蟻溝に嵌り、前記蟻溝内に前記シートを定着させる係止線条とを備え、何れかの前記蟻溝フレームの前記底板の前記骨組側には、前記底板の長手方向に沿って窪みが形成されており、前記窪みの一方の縁は、前記窪みの開口を狭める方向に突出して前記窪みの底とともにポケットを形成しており、前記ポケットの開口を上側に向けて配置されることである。
【０００７】
前記課題を解決する第二の手段は、ビニールハウスの骨組に固定され、シートを保持するシート保持部材において、前記ビニールハウスの長手方向に沿って延びる底板と、前記底板の両方の長手側端から接近しながら斜めに起立する一対の側板とを有し、前記底板と一対の前記側板との間に蟻溝が形成される一以上の蟻溝フレームと、何れかの前記蟻溝フレームの上側に設けられ、前記蟻溝フレームに沿って延びる樋フレームと、何れかの前記蟻溝フレームの前記蟻溝に嵌り、前記蟻溝内に前記シートを定着させる係止線条とを備え、前記樋フレームは、前記ビニールハウスの長手方向に延びる樋底板と、前記樋底板の一端から斜め或いは垂直方向に起立する樋側板とを有し、前記樋底板の前記骨組側には、前記樋底板の長手方向に沿って樋用窪みが形成されており、前記樋用窪みの一方の縁は、前記樋用窪みの開口を狭める方向に突出して前記樋用窪みの底とともに樋ポケットを形成しており、前記樋ポケットの開口を上側に向けて配置されることである。
【発明の効果】
【０００８】
本発明のシート保持部材によれば、シート保持部材自体に付着した水滴についても回収できる。
【図面の簡単な説明】
【０００９】
【図１】本発明の一実施の形態に係るシート保持部材の利用例を示した斜視図である。
【図２】本発明の一実施の形態に係るシート保持部材の利用例を拡大して示した断面図である。
【図３】本発明の一実施の形態に係るシート保持部材のフレームを示した斜視図である。
【図４】本発明の一実施の形態に係るシート保持部材のフレームを拡大して示した正面図である。
【図５】図４の一部を拡大して示した図である。
【図６】図４の他の一部を拡大して示した図である。
【図７】本発明の一実施の形態に係るシート保持部材の他の利用例を拡大して示した断面図である。
【図８】本発明の一実施の形態に係るシート保持部材のフレームの第一の変形例を示した正面図である。
【図９】本発明の一実施の形態に係るシート保持部材のフレームの第二の変形例を示した正面図である。
【図１０】本発明の一実施の形態に係るシート保持部材のフレームの第三の変形例を示した正面図である。
【図１１】本発明の一実施の形態に係るシート保持部材のフレームの第四の変形例を示した正面図である。
【発明を実施するための形態】
【００１０】
以下に本発明の実施の形態について、図面を参照しながら説明する。いくつかの図面を通して付された同じ符号は、同じ部品か対応する部品を示す。また、図面は、符号の向きに見るものとする。
【００１１】
図１，２に示すように、本発明の一実施の形態に係るシート保持部材Ａは、ビニールハウスＨの骨組Ｂに固定され、シートＳを保持する。また、シート保持部材Ａは、前記ビニールハウスＨの長手方向に沿って延びる底板１０，２０と、前記底板１０，２０の両方の長手側端から接近しながら斜めに起立する一対の側板（１１，１１と２１，２１）とを有し、前記底板１０，２０と一対の前記側板（１１，１１と２１，２１）との間に蟻溝１２，２２が形成される蟻溝フレーム１，２と、蟻溝フレーム２の前記蟻溝２２に嵌り、前記蟻溝２２内に前記シートＳを定着させる係止線条Ｗとを備える。また、蟻溝フレーム１の前記底板１０の前記骨組Ｂ側には、前記底板１０の長手方向に沿って窪みＤ１が形成されている。また、前記窪みＤ１の一方の縁は、前記窪みＤ１の開口を狭める方向に突出して前記窪みＤ１の底とともにポケットＰ１を形成している。そして、シート保持部材Ａは、前記ポケットＰ１の開口を上側に向けて配置される。
【００１２】
なお、前記したように、単に「上側」または「下側」という場合には、取付状態にあるシート保持部材Ａの上側に配置される側または下側に配置される側のことである。また、図３，４に記載した「上側」及び「下側」は、取付状態において上側に配置される側及び下側に配置される側のことである。
【００１３】
以下、詳細に説明すると、前記ビニールハウスＨは、図１に示すように、当該ビニールハウスＨの長手方向に並ぶ複数のアーチ状パイプｂ１を含む骨組Ｂと、この骨組Ｂに展張されるシートＳとを備える。そして、本発明に係るシート保持部材Ａは、骨組Ｂに固定され、当該骨組ＢにシートＳを定着させるために利用される。また、本発明に係るシート保持部材Ａは、本実施の形態において、ビニールハウスＨの肩部に長手方向に沿って複数並べて取り付けられており、ジョイントＪにより連結される。また、ジョイントＪには、ビニールハウスＨの外側に延びるホースｊｈが接続されている。そして、結露によりシートＳの内側面に付着した水滴Ｌ１は、前記シートＳを伝ってシート保持部材Ａに回収され、当該シート保持部材Ａを伝ってジョイントＪに達し、当該ジョイントＪからホースｊｈを介してビニールハウスＨ外に排出される。図１中、ビニールハウスＨの外側に設けた樋Ｇにホースｊｈから結露水を排出できるようになっているが、地面に直接排出するようにしてもよい。
【００１４】
また、前記シート保持部材Ａは、本実施の形態において、二本の蟻溝フレーム１，２と、樋フレーム３とを含むフレームＦと、当該フレームＦにシートＳを定着させる係止線条Ｗとを備える。フレームＦは、図３に示すように、一定の断面形状を有する細長い柱状部材であり、押出成形により、二本の蟻溝フレーム１，２と樋フレーム３が同時に形成される。係止線条Ｗは、被覆した線材を略台形形状に交互に折り曲げて形成されている。そして、何れか或いは両方の蟻溝フレーム１，２の蟻溝１２，２２にシートＳを挿入し、当該シートＳに重ねて蟻溝１２，２２に係止線条Ｗを嵌めることにより、フレームＦにシートＳを定着できる。
【００１５】
また、本実施の形態において、フレームＦが骨組Ｂに取り付けられたとき、フレームＦは、アーチ状パイプｂ１に直交し、ビニールハウスＨの長手方向に沿って延びる。さらに、前記フレームＦは、図１，２に示すように、樋フレーム３と一方の蟻溝フレーム１がアーチ状パイプｂ１に沿って上下に並び、前記樋フレーム３と蟻溝フレーム１の反骨組側に他方の蟻溝フレーム２が重なる。
【００１６】
前記両蟻溝フレーム１，２を区別するため、以下、取付状態において、骨組Ｂ側に配置される蟻溝フレーム１を第一蟻溝フレーム１、他方を第二蟻溝フレーム２という。そして、本実施の形態において、第二蟻溝フレーム２にのみシートＳを定着し、フレームＦからビニールハウスＨの側部に垂れさがるシートＳを軸Ｚ（図１）に巻き付けて開閉式にしている。加えて、第二蟻溝フレーム２には、フック４が取り付けられており、当該フック４に引っ掛けられるバンド５でシートＳが風にあおられてバタツクのを防いでいる。
【００１７】
なお、本実施の形態におけるシート定着部材Ａの利用方法は、図示する限りではなく、任意に変更できる。例えば、シートＳにおいて、ビニールハウスＨの屋根部を覆う部分ｓ１と側部を開閉する部分ｓ２を切り離し、第二蟻溝フレーム２に屋根部を覆う部分ｓ１の一端を定着し、第一蟻溝フレーム１に側部を開閉する部分ｓ２の一端を定着してもよい。また、第二蟻溝フレーム２に屋根部から側部にかけて一続きとなるシートＳを定着する場合には、図７に示すように、第一蟻溝フレーム１にネットＮを定着してもよい。この場合、シートＳにおいてビニールハウスＨの側部を開閉する部分ｓ２を軸Ｚに巻き取ってビニールハウスＨの換気を行う際に、害虫や害鳥の侵入を防止できる。
【００１８】
図４は、本実施の形態に係るシート定着部材ＡのフレームＦの正面図であり、第一蟻溝フレーム１と樋フレーム３の骨組Ｂ側端に接する平面が水平になるように記載している。以下、前記平面をフレームＦの基準面ｆ１とする。取付状態においてフレームＦは、樋フレーム３を上側にして配置されるので、取付状態における基準面ｆ１は、図４中左側が上側になるように傾斜し、当該傾斜角度はアーチ状パイプｂ１の傾斜角度に合わせて変わる。
【００１９】
前記第一蟻溝フレーム１は、図４中奥行き方向に延びる細長い板状の底板１０と、同じく図４中奥行き方向に延びて前記底板１０の両方の長手側端に連なる一対の側板１１，１１とを有する。これら側板１１，１１は、向かい合い、底板１０から斜めに接近しながら起立する。そして、底板１０と一対の側板１１，１１との間に蟻溝１２が形成されている。本実施の形態において、平面視で細長い長方形となる底板１０の外周形状を構成する四辺のうち、向かい合う長い方の辺の一方側または他方側を底板１０の長手側といい、向かい合う短い方の辺の一方側または他方側を底板１０の短手側という。
【００２０】
前記第一蟻溝フレーム１の底板１０は、図４中右側の側板１１に連なる平坦部１０ａと、他方の側板１１に連なり、図４中右端が蟻溝１２内に向かうように傾斜する傾斜部１０ｂと、平坦部１０ａの途中と前記傾斜部１０ｂの図４中右端とをつなぐポケット底部１０ｃとを含む。そして、前記平坦部１０ａの図４中下面と、前記傾斜部１０ｂの図４中左端が基準面ｆ１に接し、これらがシート定着部材Ａの骨組Ｂ側端となる。また、傾斜部１０ｂは、基準面ｆ１に対して傾斜しており、図４中右側に向けて基準面ｆ１から徐々に離れるようになっている。つまり、フレームＦを図４中下側（骨組Ｂ側）から見ると、底板１０における傾斜部１０ｂ部分が基準面ｆ１よりも低く窪んでおり、当該傾斜部１０ｂにより窪みＤ１が形成されている。
【００２１】
また、前記したように、ポケット底部１０ｃが平坦部１０ａの途中に連なるので、ポケット底部１０ｃから図４中左側に突出する平坦部１０ａの突出部が傾斜部１０ｂの一部と向かい合う。そして、これら向かい合わせの傾斜部１０ｂ及び平坦部１０ａと、ポケット底部１０ｃとでポケットＰ１を形成する。前記したように、フレームＦは、樋フレーム３側を上にして基準面ｆ１が傾斜するように骨組Ｂに取り付けられるので、ポケットＰ１の開口が斜め上を向く。本発明において、ポケットＰ１の開口を上側に向けた状態とは、前記したように斜め上を向くことも含み、水平よりもわずかでも上方を向いていればよい。
【００２２】
前記構成によれば、取付状態において、ビニールハウスＨの内側を向くフレームＦの図４中下面に結露が発生した場合、結露により生じた水滴Ｌ２（図２）がフレームＦを伝ってポケットＰ１に溜まる。そして、このポケットＰ１に回収された結露水は、ジョイントＪからホースｊｈを通してビニールハウスＨの外側に排出される。このため、前記水滴Ｌ２が取付状態におけるフレームＦの下部からビニールハウスＨ内に落下するのを抑制できる。
【００２３】
加えて、前記ポケットＰ１は、底板１０の短手方向（短手側の一辺に沿う方向）の中心よりも図４中右側に寄せて配置されている。当該図４中右側は、シート保持部材Ａを取り付けたとき、下側に位置する部分であるので、フレームＦに付着した水滴Ｌ２の多くを回収できる。
【００２４】
また、本実施の形態において、底板１０の一部を傾斜させて傾斜部１０ｂを設け、当該傾斜部１０ｂの骨組Ｂ側に窪みＤ１を形成している。このため、第一蟻溝フレーム１の肉厚をなるべく均一にして、強度の確保と材料の削減を同時に実現できるとともに、押出成形等によりフレームＦを形成し易い。
【００２５】
また、本実施の形態において、ポケット底部１０ｃから図４中左側に突出する平坦部１０ａの先端が、取付状態で下側となる窪みＤ１の縁となっており、当該縁が窪みＤ１の底となる傾斜部１０ｂの図４中下面とともにポケットＰ１を形成している。しかし、取付状態で上側に開口するポケットＰ１を底板１０に形成できれば、窪みＤ１の形成方法は任意に変更できる。例えば、底板１０の一部の肉厚を薄くして、前記窪みＤ１を形成してもよい。
【００２６】
つづいて、前記底板１０の両方の長手側端から斜めに起立する一対の側板１１，１１は、共に、底板１０から外側（反蟻溝側）に膨らむ湾曲部１１ａと、この湾曲部１１ａの図４中上端から内側（蟻溝１２側）に傾斜しながら延びる側傾斜部１１ｂとを含む。そして、樋フレーム３側の側傾斜部１１ｂの図４中上端に、第二蟻溝フレーム２が連なっている。また、他方の側傾斜部１１ｂの図４中上端には、当該側傾斜部１１ｂから内側（蟻溝１２側）に突出する顎部１１ｃが設けられている。前記構成によれば、第一蟻溝フレーム１の蟻溝１２にシートＳまたはネットＮ（以下、シート等という）を挿入し、この上から係止線条Ｗを嵌めたとき、係止線条Ｗが両側板１１の湾曲部１１ａの間に支えられる。
【００２７】
また、前記したように、底板１０に傾斜部１０ｂを設けているので、蟻溝１２にシート等を定着したとき（例えば、図７）、係止線条Ｗ及びシート等が傾斜部１０ｂで押し上げられる。このため、平坦部１０ａとシート等との間に隙間１３ができる。したがって、当該第一蟻溝フレーム１にシート等を定着した場合、前記隙間１３を水が移動できて水はけがよい。このため、第一蟻溝フレーム１やシート等と水が長時間接触することによる劣化を抑制できる。また、本実施の形態においては、傾斜部１０ｂに、底板１０の長手方向に沿って延びる断面Ｖ字状の溝（符示せず）を形成しており、当該溝によっても水はけを良好にしている。
【００２８】
加えて、図５に示すように、前記一対の側板１１，１１において両湾曲部１１ａの頂部（最も外側に突出する部分）を通る平面ｆ２は、底板１０の図５中下端（骨組Ｂ側端）に窪みＤ１の両側で接する基準面ｆ１に対して、平行方向に延びる。当該平行方向とは、フレームＦを真直ぐ伸ばしたときに概ね平行となっていることをいい、製造上の誤差による若干の傾き及び歪みを許容する。前記構成によれば、基準面ｆ１から湾曲部１１ａの頂部までの高さが、両方の側部１１，１１で略等しくなる。このため、窪みＤ１を備えておらず、底板１０の骨組Ｂ側面が平らな従来のフレームを連結するのに利用されるジョイント等をそのまま流用できる。
【００２９】
また、底板１０において、最も蟻溝１２内に突出する傾斜部１０ｂの図５中上端は、湾曲部１１ａの頂部と同じか、頂部よりも底板１０側に位置する。したがって、傾斜部１０ｂが蟻溝１２内に突出するようになっていても、係止線条Ｗを湾曲部１１ａで支えるのに支障がない。
【００３０】
つづいて、第二蟻溝フレーム２は、図４中奥行き方向に延びる細長い板状の底板２０と、同じく図４中奥行き方向に延びて前記底板２０の両方の長手側端に連なる一対の側板２１，２１とを有する。これら側板２１，２１は、向かい合い、底板２０から斜めに接近しながら起立する。そして、底板２０と一対の側板２１，２１との間に蟻溝２２が形成されている。本実施の形態において、平面視で細長い長方形となる底板２０の外周形状を構成する四辺のうち、向かい合う長い方の辺の一方側または他方側を底板２０の長手側といい、向かい合う短い方の辺の一方側または他方側を底板２０の短手側という。
【００３１】
前記第二蟻溝フレーム２の底板２０は、当該底板２０の両方の長手側端部に設けられる皿部２０ａ，２０ａと、これら皿部２０ａ，２０ａをつなぐ平板部２０ｂとを含む。前記皿部２０ａは、共に、平板部２０ｂから図４中下側に向けて突出するように湾曲している。また、平板部２０ｂは、基準面ｆ１に対して略平行となっている。前記構成によれば、フレームＦを図４中上側（反骨組側）から見ると、底板２０における皿部２０ａ部分が平板部２０ｂよりも低く窪んでいる。
【００３２】
また、第二蟻溝フレーム２の一対の側板２１，２１は、共に、皿部２０ａの反平板部側端からやや外側（反蟻溝側）に向けて傾斜する第一傾斜部２１ａと、この第一傾斜部２１ａから内側（蟻溝２２側）に向けて傾斜する第二傾斜部２１ｂと、この第二傾斜部２１ｂの図４中上端から内側（蟻溝２２側）に向けて突出する顎部２１ｃとを含み、第一傾斜部２１ａと第二傾斜部２１ｂの境界に曲げ部２１ｄが形成されている。第一傾斜部２１ａは第二傾斜部２１ｂと比較して短く、基準面ｆ１に対して垂直に近いので、側板２１全体を見たとき、当該側板２１は概ね底板２０から内側に向けて傾斜している。
【００３３】
また、前記曲げ部２１ｄは、平板部２０ｂよりも基準面ｆ１から離れた位置に設けられている。このため、第二蟻溝フレーム２の蟻溝２２にシートＳを挿入し、この上から係止線条Ｗを嵌めたとき、係止線条Ｗが両側板２１の曲げ部２１ｄの間に支えられる。このとき、係止線条Ｗが平板部２０ｂに接触しないようになっていれば、シートＳと底板２０が密着することを防いで水はけを良くし、第二蟻溝フレーム２やシートＳが水と長時間接触することによる劣化を抑制できる。
【００３４】
また、本実施の形態において、第二蟻溝フレーム２が皿部２０ａを有し、係止線条Ｗで平板部２０ｂにシートＳが押付けられたとしても、皿部２０ａとシートＳとの間に隙間２３（図２）ができる。したがって、当該第二蟻溝フレーム２にシートＳを定着した場合、前記隙間２３を水が移動できて水はけがよい。このため、第二蟻溝フレーム２やシートＳと水が長時間接触することによる劣化を抑制できる。
【００３５】
また、本実施の形態において、底板２０の一部を図４中下側に湾曲させて皿部２０ａを設け、当該皿部２０ａにより底板２０とシートＳとの密着を防いでいる。このため、第二蟻溝フレーム２の肉厚をなるべく均一にして、強度の確保と材料の低減を同時に実現できるとともに、押出成形等によりフレームＦを形成し易い。なお、シートＳと底板２０との間の水はけを良好にするため、底板２０の一部を削って前記皿部２０ａに替えるとしてもよい。
【００３６】
加えて、本実施の形態においては、曲げ部２１ｄが第一傾斜部２１ａと第二傾斜部２１ｂの境界に形成される屈曲部であるので、湾曲により曲げ部２１ｄを形成する場合と比較して、第二蟻溝フレーム２をコンパクトにできる。なお、第二蟻溝フレーム２の構成は、蟻溝２２を有してシートＳを定着できれば、任意に変更できる。
【００３７】
また、第二蟻溝フレーム２の図４中右側の皿部２０ａに第一蟻溝フレーム１の図４中左側の側板１１が連なっている。また、前記皿部２０ａは、前記側板１１における側傾斜部１１ｂの図４中上端から内側（蟻溝１２側）に突出するので、顎部１１ｃとともに、係止線条Ｗが蟻溝１２から抜け出るのを防ぐことができる。
【００３８】
また、第二蟻溝フレーム２の一対の側板２１，２１は、共に、顎部２１ｃを備えているので、これらで係止線条Ｗが蟻溝２２から抜け出るのを防ぐことができる。
【００３９】
つづいて、第一蟻溝フレーム１とともに、基準面ｆ１上に設けられる樋フレーム３は、図４中奥行方向に延びる細長い板状の樋底板３０と、同じく図４中奥行き方向に延びて前記樋底板３０の図４中右端に連なる樋側板３１とを有する。この樋側板３１は、樋底板３０から垂直方向に起立して、図４中上端が第二蟻溝フレーム２の平板部２０ｂに連なっている。前記垂直方向とは、基準面ｆ１に対して概ね垂直となっていることをいい、製造上の誤差による若干の傾き及び歪みを許容する。また、フレームＦが樋フレーム３を上側に向けて基準面ｆ１を傾斜させるように取り付けられると、樋底板３０が樋側板３１の骨組Ｂ側端から斜め上に延びる。したがって、結露によりシートＳの内側面に付着した水滴Ｌ１は、第二蟻溝フレーム２の外側面を伝って樋フレーム３に溜まる。この樋フレーム３に回収された結露水は、ジョイントＪからホースｊｈを通してビニールハウスＨの外側に排出される。このため、前記水滴Ｌ１がビニールハウスＨ内に落下するのを抑制できる。
【００４０】
なお、樋側板３１は傾斜していてもよく、樋フレーム３の形状は、任意に変更できる。例えば、前記したように樋側板３１を傾斜させ、樋側板３１と樋底板３０の角度を大きくすれば、樋フレーム３に回収できる結露水の量を多くできる。
【００４１】
また、樋底板３０は、図４中右端に向けて骨組Ｂから離れるように傾斜する樋傾斜部３０ａと、この樋傾斜部３０ａの図４中右端から図４中下側に延びる樋ポケット底部３０ｂと、この樋ポケット底部３０ｂの図４中下端から図４中左側に突出する樋ポケット壁３０ｃとを含む。そして、前記樋傾斜部３０ａの図４中左端と、樋ポケット壁３０ｃが基準面ｆ１に接し、これらがシート定着部材Ａの骨組Ｂ側端となる。また、樋傾斜部３０ａは、基準面ｆ１に対して傾斜しており、図４中右側に向けて基準面ｆ１から徐々に離れるようになっている。つまり、フレームＦを図４中下側（骨組Ｂ側）から見ると、樋底板３０における樋傾斜部３０ａ部分が基準面ｆ１よりも低く窪んでおり、当該樋傾斜部３０ｂにより樋用窪みＤ２が形成されている。
【００４２】
また、前記したように、樋ポケット壁３０ｃが樋ポケット底部３０ｂから図４中左側に突出しており、樋傾斜部３０ａの一部と樋ポケット壁３０ｃが向かい合う。そして、これら向い合せの樋傾斜部３０ａ及び樋ポケット壁３０ｃと、樋ポケット底部３０ｂとで樋ポケットＰ２を形成する。前記したように、フレームＦは、樋フレーム３側を上にして基準面ｆ１が傾斜するように骨組Ｂに取り付けられるので、樋ポケットＰ２の開口も、前記ポケットＰ１と同様に斜め上を向く。本発明において、樋ポケットＰ２の開口を上側に向けた状態とは、前記したように斜め上を向くことも含み、水平よりもわずかでも上方を向いていればよい。
【００４３】
前記構成によれば、取付状態において、ビニールハウスＨの内側を向く樋底板３０の図４中下面に結露が発生した場合、結露により生じた水滴Ｌ２（図２）が樋底板３０を伝って樋ポケットＰ２に溜まる。そして、この樋ポケットＰ２に回収された結露水は、ジョイントＪからホースｊｈを通してビニールハウスＨの外側に排出される。このため、前記水滴Ｌ２が樋フレーム３の角となる樋底板３０と樋側板３１の境界部分からビニールハウスＨ内に落下するのを抑制できる。
【００４４】
また、本実施の形態において、樋底板３０の一部を傾斜させて樋傾斜部３０ａを設け、当該樋傾斜部３０ａの骨組Ｂ側に樋用窪みＤ２を形成している。このため、樋フレーム３の肉厚をなるべく均一にして、強度の確保と材料の削減を同時に実現できるとともに、押出成形等によりフレームＦを形成し易い。
【００４５】
また、本実施の形態において、樋ポケット底部３０ｂから図４中左側に突出する樋ポケット壁３０ｃが、取付状態で下側となる樋用窪みＤ２の縁となっており、当該縁が樋用窪みＤ２の底となる樋傾斜部３０ａの図４中下面とともに樋ポケットＰ２を形成している。しかし、取付状態で上側に開口する樋ポケットＰ２を樋底板３０に形成できれば、樋用窪みＤ２の形成方法は任意に変更できる。例えば、樋底板３０の一部の肉厚を薄くして、前記樋用窪みＤ２を形成してもよい。
【００４６】
加えて、樋フレーム３の形状等の要因により、樋フレーム３を伝う水滴が落下することなく第一蟻溝フレーム１側に伝う場合や、樋フレーム３の角から落下する水滴を第一蟻溝フレーム１で受けられる場合には、樋フレーム３に樋用窪みＤ２を設けなくてもよい。
【００４７】
以下、骨組に取り付けられた本実施の形態におけるシート保持部材Ａを利用した結露水の回収方法について説明する。
【００４８】
図２に示すように、結露によりシートＳの内側面に付着した水滴Ｌ１は、シートＳを伝ってフレームＦに達すると、第二蟻溝フレーム２の蟻溝２２内と、樋フレーム３に回収される。また、第二蟻溝フレーム２に回収された結露水が溢れた場合、第一蟻溝フレーム１の蟻溝１２内に回収される。そして、第一蟻溝フレーム１、第二蟻溝フレーム２及び樋フレーム３に回収された結露水が、フレームＦを伝ってジョイントＪに達すると、ホースｊｈを介してビニールハウスＨの外側に排出される。このように、本実施の形態においては、シートＳの内側面に結露により付着した水滴Ｌ１を、第一蟻溝フレーム１、第二蟻溝フレーム２及び樋フレーム３に回収でき、結露水回収用の容量を大きくできる。したがって、シートＳの屋根部を覆う部分ｓ１の面積が大きくても、結露水回収用の容量が不足してフレームＦから回収した結露水が溢れるのを抑制できる。
【００４９】
また、図２に示すように、ビニールハウスＨの屋根部（ｓ１）から側部（ｓ２）にかけて一続きとなるシートＳを第二蟻溝フレーム２に定着するとともに、当該第二蟻溝フレーム２にフック４を取り付けて、当該フック４に一端が引っ掛かるバンド５でビニールハウスＨの側部を開閉するシートＳのバタツキを押さえる場合、前記フック４でシートＳを傷つける場合がある。このような場合において、雨水等がシートＳの傷から浸入したとしても、前記雨水等を第一蟻溝フレーム１で回収し、ジョイントＪ及びホースｊｈを通してビニールハウスＨの外側に排出できる。
【００５０】
また、結露により、フレームＦにおけるビニールハウスＨの内側を向く面に付着した水滴Ｌ２のうち、樋底板３０に付着した水滴は、樋底板３０を伝って樋ポケットＰ２に回収される。また、前記水滴Ｌ２のうち、第二蟻溝フレーム２の底板２０における樋フレーム３との連結部よりも上側に付着した水滴は、樋フレーム３に回収される。また、前記水滴Ｌ２のうち、前記連結部よりも下側に付着した水滴は、第一蟻溝フレーム１の上側の側板１１と、第二蟻溝フレーム２の底板２０との間に形成される空間の最も低い部分か、第一蟻溝フレーム１の底板１０を伝ってポケットＰ１に回収される。また、前記水滴Ｌ２のうち、第一蟻溝フレーム１の底板１０に付着した水滴は、当該底板１０を伝ってポケットＰ１に回収される。
【００５１】
そして、前記したようにフレームＦに回収された結露水は、当該フレームＦを伝ってジョイントＪに向けて流れ、当該ジョイントＪに接続されるホースｊｈからビニールハウスＨの外側に排出される。
【００５２】
このように、本実施の形態においては、結露によりシートＳの内側面に付着した水滴Ｌ１のみならず、シート保持部材Ａ自体に付着した水滴Ｌ２をも回収できるので、ビニールハウスＨ内に結露による水滴が落下するのを抑制する効果が大きい。
【００５３】
また、本実施の形態においては、第二蟻溝フレーム２の底板２０に皿部２０ａを設けているので、当該皿部２０ａとシートＳとの間に隙間２３ができる。したがって、第二蟻溝フレーム２に回収された結露水が隙間２３を流れ、水はけを良好にできる。
【００５４】
また、本実施の形態においては、第一蟻溝フレーム１の底板に平坦部１０ａを設けているので、例えば、図７に示すように、第一蟻溝フレーム１にネットＮを定着したり、シートＳを定着したりした場合、平坦部１０ａとシート等との間に隙間１３ができる。したがって、第一蟻溝フレーム１に回収された結露水が隙間１３を流れ、水はけを良好にできる。
【００５５】
以下、本実施の形態におけるシート保持部材Ａの作用効果について説明する。
【００５６】
本実施の形態において、ポケットＰ１は、窪みＤ１が形成される第一蟻溝フレーム（蟻溝フレーム）１の底板１０の短手方向の中心よりも下側に設けられる。
【００５７】
前記構成によれば、取付状態にあるシート保持部材Ａにおいて、ポケットＰ１をより低い位置に設けることができるので、前記ポケットＰ１に効率よく結露水を回収できる。なお、ポケットＰ１を設けていれば、シート保持部材Ａ自体に生じた結露水の回収効果を期待できるので、ポケットＰ１の位置は任意に変更できる。例えば、第一蟻溝フレーム１のポケットＰ１を省略し、樋フレーム３の樋ポケットＰ２のみを設けるとしてもよい。
【００５８】
また、本実施の形態において、樋底板３０は、図４中右端（樋側板３１側端）に向けて骨組Ｂから離れるように傾斜する樋傾斜部３０ａと、前記樋傾斜部３０ａの図４中右端（樋側板３１側端）から骨組Ｂ側に延びる樋ポケット底部３０ｂと、前記樋ポケット底部３０ｂの図４中下端（骨組Ｂ側端）から図４中右側（反樋側板側）に延びる樋ポケット壁３０ｃとを含む。そして、前記樋傾斜部３０ａの図４中下側（骨組Ｂ側）に樋用窪みＤ２が形成される。
【００５９】
前記構成によれば、樋底板３０の一部を傾斜させて樋傾斜部３０ａを設け、当該樋傾斜部３０ａの骨組Ｂ側に樋用窪みＤ２を形成している。このため、樋フレーム３の肉厚をなるべく均一にして、強度の確保と材料の削減を同時に実現できるとともに、押出成形等によりフレームＦを形成し易い。なお、樋底板３０の構成は前記の限りではなく、任意に変更できる。例えば、樋底板３０の一部の肉厚を薄くして、樋用窪みＤ２を形成してもよい。
【００６０】
また、本実施の形態において、基準面ｆ１は、樋用窪みＤ２の両側で、樋底板３０の図４中下端（骨組Ｂ側端）に接する。
【００６１】
前記構成によれば、樋底板３０の骨組Ｂ側面が平らな従来のフレームを連結するのに利用されるジョイント等をそのまま流用できる。このため、シート保持部材Ａの汎用性を良好にできるが、フレームＦを骨組Ｂに取り付け、任意のジョイントで連結できれば、樋底板３０の形状は任意に変更できる。
【００６２】
また、本実施の形態において、樋底板３０の図４中下側（骨組Ｂ側）には、前記樋底板３０の長手方向に沿って樋用窪みＤ２が形成されている。前記樋用窪みＤ２の一方の縁（樋ポケット壁３０ｃの図４中左端）が前記樋用窪みＤ２の開口を狭める方向に突出して前記樋用窪みＤ２の底（樋傾斜部３０ａの図４中下面）とともに樋ポケットＰ２を形成する。そして、シート保持部材Ａは、前記樋ポケットＰ２の開口を上側に向けて配置される。
【００６３】
前記構成によれば、結露により樋底板３０に付着した水滴を樋ポケットＰ２に回収できる。したがって、樋フレーム３における樋底板３０と樋側板３１の境界に位置する角部からビニールハウスＨ内に水滴が落下するのを抑制できる。なお、前記角部から落下した水滴が第一蟻溝フレーム１上に落下するか、或いは、第一蟻溝フレーム１側に伝い落ちるようになっていれば、必ずしも樋ポケットＰ２を設けなくてもよい。
【００６４】
例えば、図８に示す樋フレーム３Ａは、骨組Ｂ側面が平らな樋底板３２と樋側板３１との間に傾斜角度の緩やかな樋側傾斜部３３を備え、樋側板３１と樋側傾斜部３２の境界部分の角から落下する水滴を第一蟻溝フレーム１上に落下させるようにしている。また、図９に示す樋フレーム３Ｂは、湾曲する樋側板３４を備え、骨組Ｂ側面が平らな樋底板３２を伝う水滴が樋側板３４及び底板２０を伝って第一蟻溝フレーム１側に移動できるようにしている。また、樋ポケットＰ２を設ける場合には、樋用窪みＤ２の形状も任意に変更できる。例えば、樋用窪みＤ２の上下両方の縁が樋用窪みＤ２の開口を狭める方向に突出し、上側の縁から落下する水滴が樋用窪みＤ２の底を伝って下側の縁で樋用窪みＤ２内に保持されるようになっていてもよい。
【００６５】
また、本実施の形態において、第二蟻溝フレーム２の側板２１は、共に、皿部２０ａから外側（反蟻溝２２側）に突出するように屈曲する曲げ部２１ｄを含み、前記曲げ部２１ｄの間に前記係止線条Ｗが支えられる。
【００６６】
前記構成によれば、第二蟻溝フレーム２をコンパクトにできる。なお、第二蟻溝フレーム２の側板２１の形状は、任意に変更できる。例えば、第二蟻溝フレーム２の側板２１に、第一蟻溝フレーム１の湾曲部１１ａと同様の湾曲部を設け、当該湾曲部で係止線条Ｗを支えるようにしてもよい。
【００６７】
また、本実施の形態において、前記第二蟻溝フレーム２の前記底板２０の両方の長手側端部には、それぞれ、図４中下側（骨組Ｂ側）に膨らむ皿部２０ａが設けられる。
【００６８】
前記構成によれば、第二蟻溝フレーム２にシートＳを定着したとき、皿部２０ａとシートＳとの間に隙間２３ができる。このため、第二蟻溝フレーム２の蟻溝２２内に回収された結露水が前記隙間２３を通過できるので水はけが良く、第二蟻溝フレーム２やシートＳと水が長時間接触することによる劣化を抑制できる。なお、当該劣化を皿部２０ａ以外の構成で抑制してもよい。例えば、図１０に示すように、第二蟻溝フレーム２Ａの底板２４を弓なりに反らしてもよい。また、図示しないが、第二蟻溝フレーム２の底板２０に、第一蟻溝フレーム１の平坦部１０ａ及び傾斜部１０ｂと同様の構成を設けるとしてもよい。また、図１０に示す第二蟻溝フレーム２Ａに、図８，９に示す樋フレーム３Ａ，３Ｂを組み合わせてもよい。
【００６９】
また、本実施の形態において、シート保持部材Ａは、第一蟻溝フレーム１と第二蟻溝フレーム２の二本の前記蟻溝フレームを備えている。そして、前記第一蟻溝フレーム１に窪みＤ１が形成されている。また、前記第二蟻溝フレーム２の底板２０に、上側に位置する前記第一蟻溝フレーム１の側板１１と、前記樋側板３が連なる。
【００７０】
前記構成によれば、第一蟻溝フレーム１と第二蟻溝フレーム２の一方または両方に、選択的にシートＳを定着できる。本実施の形態のように、シート保持部材ＡがビニールハウスＨの肩部に取り付けられる場合、換気を目的としてビニールハウスＨの側部を開閉できるようにすることが好ましく、屋根部と側部のシートＳを分離したり、ビニールハウスＨの側部にネットＮ（図７）を展張したりすることがある。前記構成によれば、このような利用に対応できるので、シート保持部材Ａの利便性が高い。なお、シート保持部材Ａの構成は前記の限りではなく、第二蟻溝フレーム２を廃したり、第三の蟻溝フレームを追加したりしてもよい。
【００７１】
また、本実施の形態において、シート保持部材Ａは、窪みＤ１が形成される第一蟻溝フレーム（蟻溝フレーム）１の上側に設けられ、前記第一蟻溝フレーム１に沿って延びる樋フレーム３を備えている。そして、前記樋フレーム３は、前記ビニールハウスＨの長手方向に延びる樋底板３０と、前記樋底板３０の下端から垂直方向に起立する樋側板３１とを有する。
【００７２】
前記構成によれば、結露によりシートＳの内側面に付着した水滴Ｌ１を樋フレーム３で回収できる。このように、シートＳを定着する機能を有さずに、結露水を回収するのに特化した樋フレーム３を設けることで、より多くの結露水を回収できる。なお、シート保持部材Ａの構成は前記の限りではなく、樋フレーム３を廃してもよい。この場合、シート保持部材ＡのフレームＦが第一蟻溝フレーム１のみからなるとしてもよい。
【００７３】
また、樋フレーム３を設ける場合には、樋フレーム３の形状も任意に変更できる。例えば、図１１に示すように、樋フレーム３Ｃが、樋底板３０の下端から斜めに起立する樋側板３５を備えてもよい。また、図１１に示す樋側板３５は、第二蟻溝フレーム２に向けて第一蟻溝フレーム１に近づくように傾斜しているので、樋フレーム３Ｃにおける結露水回収用の容積を大きくできる。なお、図１１の樋フレーム３Ｃは、樋ポケットＰ２を有しているが樋ポケットＰ２を廃し、骨組Ｂ側面が平らな樋底板３２を備えるとしてもよい。また、図１１に示す樋フレーム３Ｃを図１０に示す第二蟻溝フレーム２Ａと組み合わせて利用してもよい。
【００７４】
また、本実施の形態において、傾斜部１０ｂの図４中上端（反骨組側端）は、湾曲部１１ａの頂部と同じか、前記頂部１１ａよりも図４中下側（骨組Ｂ側）に位置する。
【００７５】
前記構成によれば、傾斜部１０ｂを設けることで窪みＤ１を形成したとしても、湾曲部１１ａで係止線条Ｗを支える際に、前記傾斜部１０ｂが邪魔になるのを防止できる。なお、窪みＤ１を有する第一蟻溝フレーム１にシートＳを定着する予定がない場合や、係止線条Ｗの形状によっては、傾斜部１０ｂの図４中上端が湾曲部１１ａの頂部を超えて図４中上側に突出してもよい。
【００７６】
また、本実施の形態において、窪みＤ１が形成される第一蟻溝フレーム（蟻溝フレーム）１の底板１０は、一方の側板１１に連なる平坦部１０ａと、他方の側板１１に連なり、図４中右端（平坦部１０ａ側端）が蟻溝１２内に向かうように傾斜する傾斜部１０ｂと、前記平坦部１０ａの途中と前記傾斜部１０ｂの図４中右端（平坦部１０ａ側端）とをつなぐポケット底部１０ｃとを含む。そして、前記傾斜部１０ｂの図４中下側（骨組Ｂ側）に前記窪みＤ１が形成される。
【００７７】
このように、本実施の形態においては底板１０の一部を傾斜させて傾斜部１０ｂを設け、当該傾斜部１０ｂの骨組Ｂ側に窪みＤ１を形成している。このため、第一蟻溝フレーム１の肉厚をなるべく均一にして、強度の確保と材料の削減を同時に実現できるとともに、押出成形等によりフレームＦを形成し易い。
【００７８】
加えて、前記構成によれば、第一蟻溝フレーム１の蟻溝１２にシート等を定着する場合、係止線条Ｗ及びシート等が傾斜部１０ｂで図４中上側に押し上げられる。このため、平坦部１０ａとシート等との間に隙間１３ができる。したがって、窪みＤ１を有する第一蟻溝フレーム１にシート等を定着した場合、前記隙間１３を水が移動できて水はけがよく、第一蟻溝フレーム１やシート等と水が長時間接触することによる劣化を抑制できる。
【００７９】
なお、窪みＤ１の形成方法は任意に変更できる。例えば、底板１０の一部の肉厚を薄くして、窪みＤ１を形成してもよい。
【００８０】
また、本実施の形態において、窪みＤ１が形成される第一蟻溝フレーム（蟻溝フレーム）１の側板１１は、共に、底板１０から外側（反蟻溝側）に膨らむ湾曲部１１ａを含む。また、前記窪みＤ１が形成される第一蟻溝フレーム（蟻溝フレーム）１の図４中下端（骨組Ｂ側端）に、前記窪みＤ１の両側で接する基準面ｆ１は、一対の前記側板１１，１１の両方の前記湾曲部１１ａの頂部を通る平面ｆ２に対して平行方向に延びる。
【００８１】
前記構成によれば、底板１０の図４中下端（骨組Ｂ側端）と、湾曲部１１ａの頂部の高さが合うので、底板１０の骨組Ｂ側面が基準面ｆ１に沿って平らな従来のフレームを連結するのに利用されるジョイント等をそのまま流用できる。このため、シート保持部材Ａの汎用性を良好にできる。しかし、フレームＦを骨組Ｂに取り付け、任意のジョイントで連結できれば、窪みＤ１を有する第一蟻溝フレーム（蟻溝フレーム）１の形状は、任意に変更できる。
【００８２】
また、本実施の形態において、シート保持部材Ａは、ビニールハウスＨの骨組Ｂに固定され、シートＳを保持する。また、シート保持部材Ａは、前記ビニールハウスＨの長手方向に沿って延びる底板１０，２０と、前記底板１０，２０の両方の長手側端から接近しながら斜めに起立する一対の側板（１１，１１と２１，２１）とを有し、前記底板１０，２０と一対の前記側板（１１，１１と２１，２１）との間に蟻溝１２，２２が形成される第一蟻溝フレーム１及び第二蟻溝フレーム２と、第一蟻溝フレーム１または第二蟻溝フレーム２の前記蟻溝１２，２２に嵌り、前記蟻溝１２，２２内に前記シートＳを定着させる係止線条Ｗとを備える。また、第一蟻溝フレーム１の前記底板１０の図４中下側（骨組Ｂ側）には、前記底板１０の長手方向に沿って窪みＤ１が形成されている。また、前記窪みＤ１の一方の縁（平坦部１０ａの図４中左端）は、前記窪みＤ１の開口を狭める方向に突出して前記窪みＤ１の底（傾斜部１０ｂの図４中下面）とともにポケットＰ１を形成している。そして、シート保持部材Ａは、前記ポケットＰ１の開口を上側に向けて配置される。
【００８３】
前記構成によれば、シート保持部材Ａにおいて、ビニールハウスＨの内側を向く面に結露により生じた水滴をポケットＰ１に回収できる。つまり、前記構成によれば、シートＳの内側面のみならず、シート保持部材Ａ自体に付着した水滴についても回収できるので、ビニールハウスＨ内に結露水が落下するのを抑制する効果を向上できる。
【００８４】
なお、本実施の形態においては、シート保持部材Ａが第一蟻溝フレーム１と第二蟻溝フレーム２の二種類の蟻溝フレームを有しているが、前記したように、蟻溝フレームの数は任意に変更できる。
【００８５】
また、本実施の形態においては、取付状態において下側に位置する一方の縁のみが窪みＤ１の開口を狭める方向に突出している。しかし、上下両方の縁が窪みＤ１の開口を狭める方向に突出し、上側の縁から落下する水滴が窪みＤ１の底を伝って下側の縁で窪みＤ１内に保持されるようになっていてもよい。
【００８６】
以上、本発明の好ましい実施の形態を詳細に説明したが、特許請求の範囲から逸脱しない限り、改造、変形及び変更が可能である。
【符号の説明】
【００８７】
Ａ  シート保持部材
Ｂ  骨組
Ｄ１  窪み
Ｄ２  樋用窪み
Ｆ  フレーム
ｆ１  基準面
ｆ２  平面
Ｈ  ビニールハウス
Ｓ  シート
Ｐ１  ポケット
Ｐ２  樋ポケット
Ｗ  係止線条
１  第一蟻溝フレーム（蟻溝フレーム）
２，２Ａ  第二蟻溝フレーム（蟻溝フレーム）
３，３Ａ，３Ｂ，３Ｃ  樋フレーム
１０，２０，２４  底板
１０ａ  平坦部
１０ｂ  傾斜部
１０ｃ  ポケット底部
１１，２１  側板
１１ａ  湾曲部
１２，２２  蟻溝
２０ａ  触部
２１ｄ  曲げ部
３０，３２  樋底板
３０ａ  樋傾斜部
３０ｂ  樋ポケット底部
３０ｃ  樋ポケット壁
３１，３４，３５  樋側板
【図１】
0006359954.tif 000002
【図２】
0006359954.tif 000003
【図３】
0006359954.tif 000004
【図４】
0006359954.tif 000005
【図５】
0006359954.tif 000006
【図６】
0006359954.tif 000007
【図７】
0006359954.tif 000008
【図８】
0006359954.tif 000009
【図９】
0006359954.tif 000010
【図１０】
0006359954.tif 000011
【図１１】
0006359954.tif 000012